(57)【要約】【課題】ユーザーの好みや工夫が反映されオリジナリティのある飛行玩具を作ることができ、作成した飛行玩具を実際に飛行させることができるプロペラ飛行玩具装置を提供すること。【解決手段】プロペラ飛行玩具装置は、プロペラ部材１と、該プロペラ部材１の回転軸１４を軸支する軸支部１６を設けた支持部材３と、該支持部材３に着脱可能な主翼部材２とを備えた飛行玩具体Ａと、上記プロペラ部材１の回転軸１４と同軸上に形成された係合軸１３に係脱可能な駆動軸３４と、該駆動軸３４を回転させる回転駆動機構３１と、駆動軸３４を上記プロペラ部材１の係合軸１３に係合させる際に上記主翼部材２の係合板２６を保持する保持部３５とを備えた発射装置Ｂとから構成した。【選択図】　　　　図１
2004065593.tif 000002
【特許請求の範囲】
【請求項１】
以下の要件を備えることを特徴とするプロペラ飛行玩具ユニット。
（イ）上記プロペラ飛行玩具装置は、飛行玩具体と、該飛行玩具体を発射させる発射装置とから構成されること
（ロ）上記飛行玩具体はプロペラ部材と、該プロペラ部材の回転軸を軸支する軸支部を設けた支持部材と、該支持部材に着脱可能な主翼部材とから構成されていること
（ハ）上記プロペラ部材の回転軸と同軸上には上記発射装置の駆動軸に係脱可能な係合軸が形成されていること
（二）上記主翼部材には後方に突出して１対の係合板が所定間隔をおいて形成されていること
（ホ）上記発射装置は、上記プロペラ部材の係合軸に係脱可能な駆動軸と、該駆動軸を回転させる回転駆動機構と、該駆動軸を上記プロペラ部材の係合軸に係合させる際に上記主翼部材の係合板に係合し主翼部材を保持する保持部とを備えること
【請求項２】
前記発射装置はラックベルトを一端から他端に貫通させる貫通孔が形成され、前記回転駆動機構は該貫通孔に貫通させたラックベルトの引き抜き操作に連係して前記駆動軸を回転させる回転機構と、上記ラックベルトを引き切った時には前記駆動軸をロックさせるロック機構とを備える、請求項１記載のプロペラ飛行玩具装置。
【発明の詳細な説明】
【０００１】
【発明の属する技術分野】
本発明は、プロペラ飛行玩具装置、詳しくはプロペラ部材と主翼部材とを組み合わせて形成した飛行玩具体と、該飛行玩具体を発射・飛行させる発射装置との組合せからなるプロペラ飛行玩具装置に関する。
【０００２】
【従来の技術】
従来、動力を備えることなく飛ばすことができる飛行玩具として紙飛行機や発泡スチロール製のグライダー玩具等が一般に普及している。
【０００３】
【発明が解決しようとする課題】
しかしながら、上述の飛行玩具は単に飛ばすだけの玩具であって、一旦形成した玩具は形状や飛行形態などユーザーの好みを反映させることはできないためすぐに飽きてしまうという問題があった。
【０００４】
本発明は上記問題点を解消し、ユーザーの好みや工夫が反映されオリジナリティのある飛行玩具体を作ることができ、作成した飛行玩具体を実際に飛行させることができるプロペラ飛行玩具装置を提供することをその課題とする。
【０００５】
【課題を解決するための手段】
前記課題を解決するため、本発明に係るプロペラ飛行玩具ユニットは、以下の要件を備えることを特徴とする。
（イ）上記プロペラ飛行玩具装置は、飛行玩具体と、該飛行玩具体を発射させる発射装置とから構成されること
（ロ）上記飛行玩具体はプロペラ部材と、該プロペラ部材の回転軸を軸支する支持部材と、該支持部材に着脱可能な主翼部材とから構成されていること
（ハ）上記プロペラ部材の回転軸と同軸上には上記発射装置の駆動軸に係脱可能な係合軸が形成されていること
（二）上記主翼部材には後方に突出して１対の係合板が所定間隔をおいて形成されていること
（ホ）上記発射装置は、上記プロペラ部材の係合軸に係脱可能な駆動軸と、該駆動軸を回転させる回転駆動機構と、該駆動軸を上記プロペラ部材の係合軸に係合させる際に上記主翼部材の係合板に係合し主翼部材を保持する保持部とを備えること
【０００６】
なお、前記発射装置はラックベルトを一端から他端に貫通させる貫通孔が形成され、前記回転駆動機構は該貫通孔に貫通させたラックベルトの引き抜き操作に連係して前記駆動軸を回転させる回転機構と、上記ラックベルトを引き切った時には前記駆動軸をロックさせるロック機構とを備えることが好ましい。
【０００７】
【発明の実施の形態】
図１は、本発明に係るプロペラ飛行玩具装置の一例を示し、この装置は飛行玩具体Ａと、この飛行玩具体Ａを発射させる発射装置Ｂとから構成されているものである。
【０００８】
飛行玩具体Ａは、プロペラ部材１と主翼部材２とから構成され、主翼部材２はプロペラ部材１の回転軸を軸支する軸支部を設けた支持部材３に着脱できるようになっている。
【０００９】
プロペラ部材１は、図２（ａ）に示すように、リング状の外枠体１０と中心の軸部１１との間に放射状且つ等間隔に形成された羽根体１２と、軸部１１と同軸上且つ後方に突出形成された円筒状の係合軸１３と、軸部１１と同軸上且つ前方に突出形成された回転軸１４とがプラスチック等の樹脂で一体に形成され、回転軸１４は主翼部材２を載置する載置板１５の裏面に形成された軸支部１６に回転可能に軸支されている。そして、上記係合軸１３の周壁にはプロペラ部材１の回転方向と反対向きに１対の螺旋溝１３ａが形成されている。
【００１０】
上記支持部材３は主翼部材２を載置する載置板１５と、プロペラ部材１の回転軸１４を軸支する軸支部１６と、載置板１５に載置される主翼部材２をガイドする１対のガイド板２０、２０と、ガイド板２０、２０にガイドされた主翼部材２を載置板１５上に固定する固定板２１とで構成されている。ガイド板２０の上端には互いに相反する方向に係止爪２０ａが突出形成され、固定板２１には開口部２２、２２が形成されている。上記固定板２１の開口部２２をガイド板２０に合わせて押圧することにより係止爪２０ａが開口部２２の縁に噛み合って固定板２１がガイド板２０にロックされるようになっている。
【００１１】
なお、ガイド板２０とガイド板２０との間隔Ｌ２は後述する主翼部材２の切り欠き部２５、２５間の距離Ｌ１と等しく、ガイド板２０の幅Ｗ２は上記切り欠き部２５の幅Ｗ１に等しく形成され、ガイド板２０、２０でガイドされた状態の主翼部材２は載置板１５上で左右にぶれることがないようになっている（図３参照）。
【００１２】
主翼部材２は、発泡スチロールなどの軽量樹脂で板状に形成され、前端部は断面円弧状に形成されるとともに後端部に向かって薄肉状に形成され、実機の主翼とほぼ同様の断面形状を成している。主翼部材２の中央前後部には載置板１５に立設形成されたガイド板２０、２０に係合する切り欠き部２５、２５がそれぞれ形成され、中心から左右に等間隔の位置には後述する発射装置Ｂの保持部３５に支えられる係合板２６が後方に突出して一体に形成されている。この係合板２６、２６の間隔は、プロペラ部材１の直径よりも広く、保持部３５から外れないように設定されていればよい。
【００１３】
発射装置Ｂは左手で握るグリップ部３０とグリップ部３０の上部に設けられた回転駆動機構３１を収容する収容部３２と、回転駆動機構３１の出力軸３３と一体に形成されて上記プロペラ部材１の係合軸１３に係合する駆動軸３４と、収容部３２の両側部から外方に突出形成され、プロペラ部材１の係合軸１３に駆動軸３４を係合させる際に主翼部材２が回転しないように主翼部材２に形成された係合板２６を下から支える板状の保持部３５と、上記回転駆動機構３１を外部から駆動するためのラックベルト３６とから構成されている。なお、図１において、符号３７は、収容部３２の両側部に形成された貫通孔で、ラックベルト３６を挿通するためのものである。
【００１４】
回転駆動機構３１は、図４に示すように、ラックベルト３６に噛合するピニオンギヤ４０と、このピニオンギヤ４０の軸４２に固定された平歯車４３と、この平歯車４３に噛合する駆動歯車４４とからなる回転機構と、ピニオンギヤ４０と同軸上に一体に形成されたラチェットギヤ４１とラチェット爪４６とからなるロック機構とから構成されている。
【００１５】
上記駆動歯車４４の回転軸は出力軸３３として収容部３２から前方に突出し、この出力軸３３の先端は駆動軸３４を構成し、この駆動軸３４の前部には軸方向に直交して係合ピン４５が形成されている。
【００１６】
この駆動軸３４は、筒状に形成された羽根体２の係合軸１３の内部に挿入可能な太さに形成されるとともに、係合ピン４５は係合軸１３の周壁に形成された螺旋溝１３ａに入り込み、駆動軸３４が回転すると、係合ピン４５により係合軸１３が回転させられるようになっている。この駆動軸３４はロック機構により回転途中で強制停止させられるが、駆動軸３４が強制停止するとプロペラ部材１は慣性で回転しているので駆動軸３４の係合ピン４５は螺旋溝１３ａに沿って相対的に後退し、やがて係合軸１３は駆動軸３４から回転しながら離脱するようになっている。
【００１７】
ラチェットギヤ４１とラチェット爪４６とから構成されたロック機構は、ラチェット爪４６が常に反時計方向に回動して先端４６ａがラチェットギヤ４１に噛み込むようにスプリング４７で付勢されている。このラチェット爪４６はラックベルト３６が挿通されている時にはラチェット爪４６の背中４６ｂがラックベルト３６に押されて図４上でスプリング４７に抗して時計方向に回動し、ラチェット爪４７とラチェットギヤ４１との噛み合いが外れ、ラックベルト３６の引き操作で駆動軸３４を回転させることによりプロペラ部材１を回転できるようになっている。
【００１８】
次に、上記構成のプロペラ飛行玩具装置の使用態様について説明する、先ず、プロペラ部材１に主翼部材２をセットする。この時、係合板２６がプロペラ部材１側に位置するように主翼部材２の向きを定める（図２（ａ）参照）。主翼部材２の切り欠き部２５が支持部材３の載置板１５に形成されたガイド板２０にガイドされるようにセットし、固定板２１の開口部２２をガイド板２０に対応させながら強く押し込む。固定板２１を押し込むと係止爪２０ａが開口部２２に引っかかり、主翼部材２を載置板１５上に固定した状態でプロペラ部材１と一体にすることができる（図２（ｂ）参照）。
【００１９】
次に、ラックベルト３６を発射装置Ｂの収容部３２に形成された貫通孔３７から充分に差し込んだ後、飛行玩具体Ａを発射装置Ｂにセットする（図５参照）。この際、主翼部材２の係合板２６の両方を発射装置Ｂの保持部３５に載せた状態で、駆動軸３４の係合ピン４５が係合軸１３の螺旋溝１３ａに入り込むように駆動軸３４にプロペラ部材１の係合軸１３を差し込む。
【００２０】
飛行玩具体Ａを発射装置Ｂにセットしたら、発射装置Ｂに差し込んであるラックベルト３６を、図６（ａ）に示すように引く。ラックベルト３６はピニオンギヤ４０に噛み合い、ラチェット爪４６はラックベルト３６に押し倒されてラチェットギヤ４１を開放しているので、ラックベルト３６の引き操作に連係してピニオンギヤ４０が時計方向に回転する。ピニオンギヤ４０が回転すると、平歯車４３を介して駆動歯車４４が高速で回転し、出力軸３３が高速で回転する。
【００２１】
出力軸３３が回転すると、駆動軸３４が回転するので、プロペラ部材１も高速で回転する（図７（ａ）参照）。
【００２２】
そして、図６（ｂ）に示すように、ラックベルト３６とラチェット爪４６との係合が解除するまでラックベルト３６を引き抜くと、ラチェット爪４６がスプリング４７に付勢されて反時計方向に回動し、ラチェット爪４６の先端４６ａがラチェットギヤ４１に噛み込みピニオンギヤ４０がロックされ、駆動軸３４もロックされる。
【００２３】
駆動軸３４がロックしてもプロペラ部材１は慣性で回転しつづけるので、プロペラ部材１の係合軸１３に形成された螺旋溝１３ａが係合ピン４５から回転しながら外れ、やがて駆動軸３４と係合軸１３との係合が外れ、飛行玩具体Ａは発射装置Ｂから離脱して回転するプロペラ部材１の推進力で飛行することができる（図７（ｂ）参照）。
【００２４】
なお、主翼部材２は、図３に示す横長の形状に限定されるものではなく、図８に示すように、左右の幅が短く、前後の奥行きが長い形状のものであっても構わない。この場合、載置板１５に立設形成されたガイド板２０に係合する前側の切り欠き部２５は方形の開口部２７で形成すればよく、この開口部２７の幅Ｗ１’は、図３に示す主翼部材２の切り欠き部２５の幅Ｗ１と等しく、開口部２７と切り欠き部２５との間隔Ｌ１’は図３に示す主翼部材２の切り欠き部２５、２５間の間隔Ｌ１に等しくなるように形成すればよい。
【００２５】
上述のように、プロペラ部材１に主翼部材２を着脱することができるので、主翼部材２に自分の好みのキャラクターや文字を書き込んだり、お気に入りのシールを貼り付けたりしてオリジナルの主翼部材２を多数作成しておき、ユーザーのその時々の気分で気に入った主翼部材２を選択し、プロペラ部材１に取り付けて飛行玩具体Ａを形成し、発射装置Ｂで発射、飛行させることができる。
【００２６】
なお、主翼部材２の形状を自分の好みの形状にカッターナイフなどで削って修正し、その飛行態様の変化を楽しむことも可能にすることができる。このことにより、ユーザー同士で飛行能力を競ったり、メーカーが競技会を企画して販売促進を図ったりするようにしてもよい。
【００２７】
しかも、この装置を提供するメーカーにとっては売りきりではなく、主翼部材をパーツとして供給することにより、継続的な主翼部材の販売を図ることができ経済的効果を期待することができる。
【００２８】
【発明の効果】
請求項１の発明によれば、飛行玩具体が主翼部材とプロペラ部材とから構成され、しかも、プロペラ部材に主翼部材を着脱可能にしたことにより、主翼部材を付け替えて飛行玩具体を形成することができるので、ユーザーが自分の気に入ったデザインを施して飛行玩具体を形成することができるので、オリジナリティのある飛行玩具体を形成することができる。しかも、発射装置で発射飛行させることができるので、飛行させる楽しみと飛行能力を工夫することができ競技性を備えたプロペラ飛行玩具装置を提供することができる。
【００２９】
請求項２の発明によれば、発射装置にラックベルトを差しこみ、差し込んだラックベルトを引き抜く単純な操作で飛行玩具体を発射、飛行させることができ、エンジンなどの動力を必要とせず省エネルギーの飛行を楽しむことができる。
【図面の簡単な説明】
【図１】本発明に係る、飛行玩具装置の構成を説明する斜視図
【図２】（ａ）（ｂ）は飛行玩具体の組立を説明する斜視図
【図３】プロペラ部材と主翼部材との関係を説明する平面図
【図４】発射装置の回転駆動機構を説明する底面側分解斜視図
【図５】使用状態を説明する斜視図
【図６】（ａ）（ｂ）はラックベルトと回転駆動機構の関係を説明する要部断面図
【図７】（ａ）（ｂ）は飛行玩具体を発射装置にセットした状態及び発射した状態を説明する平面図
【図８】主翼部材の他の例を説明する平面図
【符号の説明】
１　プロペラ部材
２　主翼部材
３　支持部材
１３　係合軸
１４　回転軸
２６　係合板
３１　回転駆動機構
３４　駆動軸
３５　保持部
Ａ　飛行玩具体
Ｂ　発射装置
【図１】
2004065593.tif 000003
【図２】
2004065593.tif 000004
【図３】
2004065593.tif 000005
【図４】
2004065593.tif 000006
【図５】
2004065593.tif 000007
【図６】
2004065593.tif 000008
【図７】
2004065593.tif 000009
【図８】
2004065593.tif 000010